Podtech/llm-jp-corpus-v4-ja_patent huggingface dataset:
(57)【特許請求の範囲】
【請求項１】
複数の台錐状の支柱（２５０）を、床基盤（Ｇ）又は該床基盤（Ｇ）に配されるシート（２００）に固設すると共に、床基盤（Ｇ）又はシート（２００）に配線される各種電線（Ｋ）の周面に圧接するように所定の間隔をおいて配設し、
前記支柱（２５０）の外周面には、断面が三角形状の環状突起（２５１）が形成されていることを特徴とする配線部材。
【請求項２】
前記支柱（２５０）は、先端部に向かうにしたがって細くなることを特徴とする請求項１に記載の配線部材。
【請求項３】
前記支柱（２５０）は、角錐台状である請求項２に記載の配線部材。
【発明の詳細な説明】
【技術分野】
【０００１】
本発明は、床基盤又は床基盤に配されるシートに配置され、室内に設置される電子及び電気機器に配線するための配線部材に関する。
【背景技術】
【０００２】
従来より、室内に多くの電子及び電気機器が設置される現況にあっては、該各機器の配線を、床下内部に空間を形成して行うことが一般的になっている。該床下内部の空間は、例えば角部に支持脚が垂設された平面視四角形状の床板を、床基盤上に敷設することで形成されている。
【０００３】
そして、各種電線を配線、即ち床下の内部空間において直線状に引き延ばしたり、折り曲げたりして所望する上記機器に接続した後、床基盤上に床板を敷設する。この際、上述した床板の支持脚の近傍に配線された各種電線が、床板の下面に垂設された支持脚によって挟圧されてしまう場合があり、断線する等の不都合が生じていた。
【０００４】
この不都合を解消すべく、床板の各支持脚が嵌合するように、換言すれば各支持脚による挟圧を回避するように、その四隅が切欠されて平面視十字形状に形成された基板と、該基板の上壁全体に等間隔に立設される複数の柱状突起とを備えたものが公知になっている（特許文献１）。
【先行技術文献】
【特許文献】
【０００５】
【特許文献１】特開平１１−１３１７７０号公報
【発明の概要】
【発明が解決しようとする課題】
【０００６】
しかしながら、従来の上記配線部材においては、基板の各柱状突起間に、各柱状突起間の距離よりも小径の各種電線が配線された場合、各柱状突起と各種電線との間に隙間があるため、この各種電線を、各柱状突起間において直線状に引き延ばしたり、折り曲げたりしても、電線自体が各柱状突起によって拘束されることはなく、床基盤から浮いてしまうことになる。そして、浮いた状態の上記電線が、床板の支持脚の近傍に位置した場合は、上述した支持脚による挟圧を回避できないという問題がある。なお、ここでいう支持脚は、床板の下面に垂設されたものに限らず、床基盤に立設される場合もあるが、この場合も同様の問題が生じる。
【０００７】
そこで、本発明は、上記問題点を鑑み、どのような線径の電線であっても床基盤から浮くことなく配線できて、床板又は床基盤に設けられた各支持脚による各種電線の挟圧を確実に回避できる配線部材を提供することを目的とする。
【課題を解決するための手段】
【０００８】
前記課題を解決するために、本願発明に係る配線部材は、複数の台錐状の支柱２５０を、床基盤Ｇ又は該床基盤Ｇに配されるシート２００に固設すると共に、床基盤Ｇ又はシート２００に配線される各種電線Ｋの周面に圧接するように所定の間隔をおいて配設し、前記支柱２５０の外周面には、断面が三角形状の環状突起２５１が形成されていることを特徴とする。
【０００９】
この場合、基端部から先端部に向かうにしたがって間隔が大きい支柱２５０が複数立設されるので、径の異なる各種電線Ｋであっても、各種電線Ｋの周面が支柱２５０の外周面に圧接されるようになり、床基盤Ｇから各種電線Ｋが浮くことなく、床板又は床基盤に設けられた支持脚に挟圧されることが防止されると共に、配線作業が容易に行える。また、各種電線Ｋの周面が、突起２５１に当接することで、支柱２５０，…の間に係止するようになり、各種電線Ｋが支柱２５０，…の間から離脱しないようにできる。
【００１０】
また、本発明によれば、前記支柱２５０は、先端部に向かうにしたがって細くなるような構成を採用することができ、さらには、前記支柱２５０は、角錐台状である構成を採用することができる。
【００１１】
かかる構成によれば、細径から大径の各種電線Ｋの周面に圧接できる。
【発明の効果】
【００１４】
以上のように、本発明によれば、各種電線の周面に圧接するように、台錐状の支柱を複数立設するようにしたので、径の異なる各種電線であっても、各種電線の周面が支柱の外周面に圧接されるようになり、床基盤から各種電線が浮くことなく、床板又は床基盤に設けられた支持脚に挟圧されることが防止されると共に、配線作業が容易に行える。
【図面の簡単な説明】
【００１５】
【図１】本発明の一実施形態に係る配線部材を示す斜視図。
【図２】図１の配線部材を床基盤に配置して配線した状態を示す概略平面図。
【図３】電線が配線された状態の配線部材を示す側断面図。
【図４】図１の配線部材の変形例を示す側断面図。
【発明を実施するための形態】
【００１６】
以下、本発明の一実施形態に係る配線部材について、図１〜図４を参照しつつ説明する。本実施形態に係る配線部材Ｂは、図１に示すように、平面視矩形状のシート（基板）２０と、前後左右の側縁部を除くシート２０の上壁に所定の間隔をおいて立設された角錐台状の支柱２５，…とで構成されている。
【００１７】
各の支柱２５，…の基端部の間隔は、図２及び図３に示すように、細径の各種電線Ｋの直径よりもやや小さく、各支柱２５，…の先端部に向かうにしたがって、大径の各種電線Ｋの周面に圧接できる間隔に設定されている。そして、各支柱２５，…は、可撓性を有し、且つ各種電線Ｋの周面に対して摩擦力が生じる素材が選定されている。
【００１８】
つぎに使用態様について説明する。まず、床基盤Ｇに所定の間隔をおいて配線部材Ｂを配設し、図２及び図３に示すように、各配線部材Ｂの各支柱２５，…の間に、各種電線Ｋを上方から挿入しつつ、各種電線Ｋを所望する位置に折り曲げたり、直線状に引き延ばしたりして配線作業を行う。そして、挿入された各種電線Ｋは、その外周面が各支柱２５，…の外周面に圧接され、この摩擦抵抗によって、各種電線Ｋの挿入状態が維持されると共に、浮き状態が防止される。
【００１９】
なお、上記実施形態の場合、シート２０に複数の角錐台状の支柱２５を立設するようにしたが、図４に示すように、その外周面に、断面が三角形状の環状突起２５１が形成された角錐台状の支柱２５０を、シート２００に立設した配線部材Ｂ'であってもよい。この場合、各種電線Ｋの周面が突起２５１に当接することで、支柱２５０，…の間に係止するようになり、各種電線Ｋが支柱２５０，…の間から離脱しないようにできる。但し、各種電線Ｋに対する突起２５１の係止力は、各種電線Ｋを引き抜いた際、各種電線Ｋの絶縁被覆を損傷することがない程度に引き抜けるように設定されている。
【符号の説明】
【００２０】
２５…支柱、２０…シート、２５１…環状突起、Ｇ…床基盤、Ｋ…各種電線
【図１】
0005209133.tif 000002
【図２】
0005209133.tif 000003
【図３】
0005209133.tif 000004
【図４】
0005209133.tif 000005
(57)【特許請求の範囲】
【請求項１】
パック中心部上部に差し込む主芯を，パック底部ガイド枠から立設した支柱の上部に、アーム取り付け部、ハンドル部アーム、主芯取り付け部を介して、ハンドル部アーム取り付け支点を中心に、自由可動に設け、ハンドル部を下方向に下げる事により主芯がテコの原理作用を用いて主芯が平行な角度を維持して、弱力でも手前に引かれ紙パック開口部を、開口可能とすることを特徴とするパックオープナー。
【請求項２】
上記パック底部ガイド枠を支柱の上下方向に、異なる商品の高さに合わせた位置にスライド機能を持たせたことを特徴とする請求項１に記載のパックオープナー。
【発明の詳細な説明】
【技術分野】
【０００１】  本発明は、牛乳パックの開口グチを容易に開口に関するものである。
【背景技術】
【０００２】  牛乳パックの開口グチは、一般的に、織り込み部分に手を使い開口するように実用されている。【０００３】  しかし、大人でも、上手く満足に行かない場合も多く、まして子供や、お年寄りの力では上手く行かず開口が出来にくく指を開口に触れ衛生上良くないという欠点があった。
【先行技術文献】
【特許文献】
【非特許文献】
【発明の概要】
【発明が解決しようとする課題】
【０００４】  往来の手順通りに紙パックを開口しようとしても，強力な接着性のため誰でも簡単に開口出来ない点である。
【課題を解決するための手段】
【０００５】  本発明は、器具を使い簡単、清潔、綺麗にパック開口を開くことを特徴とする。
【発明の効果】
【０００６】  本発明のパックオープナーは、パックに最初の折り目に沿い開口準備をして、器具の主芯をパック中心部上部に差し込み，テコの作用を用いて主芯が平行な角度を維持して手前に開口部を引き出し誰でも開口し易くなる利点がある。
【図面の簡単な説明】
【図１】  パックオープナーの斜図である。
【図２】  パックオープナーの側面図である。
【図３】  パックオープナーの実施例（１）である。
【図４】  パックオープナーの実施例（２）である。
【図５】  パックオープナーの実施例（３）である。
【発明を実施するための形態】
【０００７】    牛乳パックの底部用のガイド枠からパック上辺と支柱の上辺が等しく設定しパック上辺から、折り目部分の高さを作用点にあたる主芯取り付け部（自由可動）を上部に設定し主芯取りつけ部から主芯曲がり部分内側の長さをパック往来開口手順、（先端部を左右に拡げた中心部分）に設定し、主芯を往来開口手順先端部に左右に拡げた中心部分に針先より曲がり部分まで刺し、ハンドル部からアーム取り付け部を支点（自由可動）中心にハンドルを下方向に下げ主芯が手前に引かれる。
【実施例】
【０００８】    牛乳パックの底部用のガイド枠からパック上辺と支柱の上辺が等しく設定（１リットル用は１９５ミリメートル）しパック上辺から、折り目部分の高さを作用点にあたる主芯取り付け部（自由可動）を約５ミリ上部に設定。（なるべく主芯を平行移動させる為）取りつけ部から主芯曲がり部分内側の長さを６８ミリメートル設定し、主芯を往来開口手順の先端部を左右に拡げた中心部分に針先より曲がり部分まで刺し、ハンドル部アーム取り付けを支点（自由可動）中心にハンドルを下方向に下げる事により主芯が手前に引かれ開口部が引かれながら開く。【０００９】    ５００ミリリットル用牛乳パックでは底辺部ガイド枠にスライド機能を持たせることにより、本発明で、二通りの企画の製品に対応できた。（図５参照）
【産業上の利用可能性】
【００１０】    業務で大量に紙パック容器に入った製品を使用する場合、開放時間の個人差が少なくなる。
【符号の説明】
【００１１】    １  主芯
２  ハンドル
３  底部ガイド枠
【受託番号】
【図１】
0005376322.tif 000002
【図２】
0005376322.tif 000003
【図３】
0005376322.tif 000004
【図４】
0005376322.tif 000005
【図５】
0005376322.tif 000006
(57)【特許請求の範囲】
【請求項１】
略直方体形状の筐体を有した給湯装置であって、前記筐体の正面、背面、両側面に運搬用の把持部を備え、前記正面の把持部と一方の側面の把持部とを、前記正面と前記一方の側面とで共有する辺をはさんで略左右対称となる位置に配置し、前記背面の把持部と他方の側面の把持部とを、前記背面と前記他方の側面とで共有する辺をはさんで略左右対称となる位置に配置するとともに、前記給湯装置の操作を行う操作部を前記筐体の正面に設け、前記操作部を覆う扉と、前記正面に設けた把持部とを一体的に構成することを特徴とする給湯装置。
【発明の詳細な説明】
【技術分野】
【０００１】
本発明は、給湯機の構造に関するものであり、特に、部品点数の削減、または設置運搬時の安全性向上、従事人員の低減に関するものである。
【背景技術】
【０００２】
従来のヒートポンプ式給湯機において、タンクとヒートポンプサイクルとが一体的に構成された一体型のヒートポンプ式給湯機が提案されている（例えば、特許文献１参照）。図３は、従来の一体型ヒートポンプ式給湯機の構成図を示す。図３に示すように、従来の一体型ヒートポンプ式給湯機の運搬用の把持部は、筐体の左右両側面に配設されており、それぞれの側面には、左右の両手で把持するために、２つの把持部が設けられている。
【特許文献１】特開２００５−３３７５９７号公報
【発明の開示】
【発明が解決しようとする課題】
【０００３】
しかしながら、前記従来のように構成された一体型のヒートポンプ式給湯機を運搬するには、運搬者が両手で筐体を持ち上げると、設置運搬従事者の正面に、筐体の側面が立ちはだかる形で存在し、設置運搬作業時に充分な視界を確保することが困難であった。そのため運搬従事者の他に、周囲の安全確認担当者が必要となる場合もあり、設置運搬性が低いという課題を有していた。
【０００４】
本発明は、前記従来の課題を解決するもので、外観性を損なうことなく、設置運搬性の向上した給湯装置を提供することを目的とする。
【課題を解決するための手段】
【０００５】
前記従来の課題を解決するために、本発明の給湯装置は、略直方体形状の筐体を有した給湯装置であって、前記筐体の正面、背面、両側面に運搬用の把持部を備え、前記正面の把持部と一方の側面の把持部とを、前記正面と前記一方の側面とで共有する辺をはさんで略左右対称となる位置に配置し、前記背面の把持部と他方の側面の把持部とを、前記背面と前記他方の側面とで共有する辺をはさんで略左右対称となる位置に配置するとともに、前記給湯装置の操作を行う操作部を前記筐体の正面に設け、前記操作部を覆う扉と、前記正面に設けた把持部とを一体的に構成することにより、運搬時には、設置運搬従事者の視界を確保することができ、設置運搬性を向上させることができる。
【発明の効果】
【０００６】
本発明は、外観性を損なうことなく、設置運搬性の向上した給湯装置を提供することができる。
【発明を実施するための最良の形態】
【０００７】
第１の発明の給湯装置は、略直方体形状の筐体を有した給湯装置であって、前記筐体の正面、背面、両側面に運搬用の把持部を備え、前記正面の把持部と一方の側面の把持部とを、前記正面と前記一方の側面とで共有する辺をはさんで略左右対称となる位置に配置し、前記背面の把持部と他方の側面の把持部とを、前記背面と前記他方の側面とで共有する辺をはさんで略左右対称となる位置に配置するとともに、前記給湯装置の操作を行う操作部を前記筐体の正面に設け、前記操作部を覆う扉と、前記正面に設けた把持部とを一体的に構成することにより、運搬時には、設置運搬従事者の視界を確保することができ、設置運搬性を向上させることができる。
【０００８】
また、給湯装置の操作を行う操作部を備え、前記操作部を覆う扉と、前記正面に設けた把持部とを一体的に構成することにより、部品点数を削減することができ、また外観性を損なうことなくコストを低減することができる。
【０００９】
以下、本発明の実施の形態について、図面を参照しながら説明する。なお、この実施の形態によって本発明が限定されるものではない。
【００１０】
（実施の形態１）
図１は、第１の実施例における一体型ヒートポンプ式給湯機の正面図、両側面図、背面図である。図１が示すように、給湯機の筐体は正面（前板）１、左右２つの側面（側板）２ａおよび２ｂ、背面（後板）３、天面（天板）４を有している。そして、図２に給湯機を操作するための操作部を覆う扉の構成図を示す。
【００１１】
本実施の形態では、従来例では正面に配されていた給湯機を操作するための操作部を覆う扉５ａが、一つの側面上に一対であった把持部の一方の代わりとなるような構成となっている。つまり従来では、一つの側面上に２つの把持部を有していたが、本実施の形態で
は、正面に１つの把持部５ａ、側面に１つの把持部６ａを設けた構成を成しており、正面に設けた把持部５ａと、操作部を覆う扉とを一体的に形成している。
【００１２】
そして図１が示すように、もう一対の把持部６ｂ、６ｃを、把持部６ａを設けた側面と対峙する反対の側面２ｂ、及び、背面３に配している。そして、把持部５ａおよび６ａは、前板１と右側面２ａが共有する辺を中心に対象となる位置に配設されており、さらに、把持部６および６ｃは、後板３と左側面２ｂか共有する辺を中心に対象となる位置に配設されている。
【００１３】
そして、それらの把持部の高さは、水平方向にはほぼ同位置で、把持部に手を掛けて、給湯機本体を持ち上げる際に、最も作業従事者の負担の少ない平均的な位置に設定されている。
【００１４】
このように構成された場合、設置運搬作業として給湯機正面からみて右から左に給湯機を運ぶと仮定すると、設置運搬作業の従事者の前面に筐体が立ちはだかることがなく、正面側を担ぐ作業者は、進行方向の視界を確保することができ、背面側を担ぐ作業者は進行方向とは逆側の視界を確保することができる。
【産業上の利用可能性】
【００１５】
以上のように本発明の構造は、設置運搬を２名の作業従事者で行なえる重さと形状で、且つ、運搬の為に持ち上げた際に、作業従事者の目の高さより高い位置に筐体が来る形状の製品、例えば給湯機の貯湯ユニットや大型冷蔵庫に対して有効である。
【図面の簡単な説明】
【００１６】
【図１】（ａ）本発明の実施の形態１における給湯装置の正面図（ｂ）同側面図（ｃ）同背面図（ｄ）同側面図
【図２】同要部拡大図
【図３】（ａ）従来の給湯装置の正面図（ｂ）同側面図（ｃ）同背面図（ｄ）同側面図
【符号の説明】
【００１７】
１  正面（前板）
２  側面（側板）
２ａ  右側面
２ｂ  左側面
３  給湯機筐体・背面（後板）
４  給湯機筐体・天面（天板）
５ａ  把持部（兼操作部扉）
６ａ  把持部（右側面上）
６ｂ  把持部（左側面上）
６ｃ  把持部（背面上）
【図１】
0005146058.tif 000002
【図２】
0005146058.tif 000003
【図３】
0005146058.tif 000004
(57)【特許請求の範囲】
【請求項１】
雪氷から発生した冷水を通過させる浸透性舗装が表面に設けられているとともに、この浸透性舗装の下部に前記冷水と熱交換する冷媒を循環させる熱交換回路配管が敷設されてなる冷水槽と、
前記熱交換回路配管内の冷媒を冷熱需要先へ送るとともに、この冷熱需要先で冷熱を奪われた冷媒を前記熱交換回路配管内へ戻して循環させる循環ポンプと
を有する雪氷冷房用冷熱回収システム。
【請求項２】
前記冷水槽の底部は防水層が形成されており、前記浸透性舗装と前記防水層との間には、前記熱交換回路配管が敷設されているとともに採石が充填されている請求項１に記載の雪氷冷房用冷熱回収システム。
【請求項３】
前記冷水槽は、中央下部に向けて下降傾斜されているとともに、その中央下部には前記冷水を集める集水枡が設けられており、この集水枡に集められた冷水を熱交換機へ送るとともに、この熱交換機で冷熱を奪われた水を前記冷水槽の上流側へ戻して循環させるポンプを有している請求項１または請求項２に記載の雪氷冷房用冷熱回収システム。
【発明の詳細な説明】
【技術分野】
【０００１】  本発明は、雪氷冷房における雪氷からの冷熱の回収方法のうち、雪塊下で配管により熱交換を行う装置に関するものである。
【背景技術】
【０００２】  雪氷冷房は、季節蓄熱の一種で、冬季に自然により形成された雪氷を夏季まで保存し、夏季に冷熱利用を行う。【０００３】  雪氷冷房は、熱媒体の種類により、空気を媒体とする全空気方式と、水などの液体を媒体とする冷水循環方式がある。【０００４】  冷水循環式雪氷冷房のうち、冷熱の回収方法により、雪氷塊に直接循環水を散布する散水式、雪氷塊下に循環水を流す流水式、雪氷塊を冷水槽に浸した部分で熱交換を行う浸水式がある。
【発明の開示】
【発明が解決しようとする課題】
【０００５】  浸水式雪氷冷房装置では、循環水が雪氷塊を避けて抵抗の少ない部分に迂回したりするなど、計画していない水路が形成され、熱交換効率を低下させてしまう課題があった。【０００６】  従来型の浸水式雪氷冷房装置では、循環水が冷水槽内上流側で水温が高いため、上流側の雪氷塊のみが先行して融解し、冷水槽の平面規模の割に、高い冷熱負荷への対応ができない課題があった。【０００７】  雪氷塊下に熱交換を目的とする配管を敷設する場合に、雪氷塊の自重や雪氷の堆積作業や維持管理作業における重機の加重により、配管が破壊されやすいという課題があった。
【課題を解決するための手段】
【０００８】
浸水槽の表面を透水性舗装により構成し、熱交換用配管を保護するとともに、雪氷の堆積雪塊から発生した冷水のみを通過させ、雪氷塊中に含まれる土砂などの不純物を除去しながら冷水を得る。すなわち、本発明に係る雪氷冷房用冷熱回収システムは、雪氷から発生した冷水を通過させる浸透性舗装が表面に設けられているとともに、この浸透性舗装の下部に前記冷水と熱交換する冷媒を循環させる熱交換回路配管が敷設されてなる冷水槽と、前記熱交換回路配管内の冷媒を冷熱需要先へ送るとともに、この冷熱需要先で冷熱を奪われた冷媒を前記熱交換回路配管内へ戻して循環させる循環ポンプとを有している。また、本発明の一態様として、前記冷水槽の底部は防水層が形成されており、前記浸透性舗装と前記防水層との間には、前記熱交換回路配管が敷設されているとともに採石が充填されていてもよい。さらに、本発明の一態様として、前記冷水槽は、中央下部に向けて下降傾斜されているとともに、その中央下部には前記冷水を集める集水枡が設けられており、この集水枡に集められた冷水を熱交換機へ送るとともに、この熱交換機で冷熱を奪われた水を前記冷水槽の上流側へ戻して循環させるポンプを有していてもよい。
【０００９】  浸透性舗装と底部の防水層の間は、水が流れやすいように採石などで充填し、その内部に、熱交換を目的とした配管を敷設する。【００１０】  熱交換回路配管内に冷媒を循環させ、熱交換により冷熱を得る。【００１１】  熱交換の効率を向上させるため、雪氷塊下部の水槽全体の水をポンプ動力により循環させ、かつ、ここでも冷熱を得る。
【発明の効果】
【００１２】  雪氷の堆積作業や維持管理作業の施工性が良くなる。【００１３】  雪氷塊より、安定的に冷熱を回収できる。【００１４】  雪氷塊下面より、均一に冷熱回収を実施できるので、雪氷の有効利用が高まるとともに、高出力を供給することが可能である。
【発明の実施するための最良の形態】
【００１５】
本発明に係る雪氷冷房用冷熱回収システムは、屋内外に貯蔵する堆積雪氷下部に浸透性舗装を表面にもつ二重構造の冷水槽を設置し、舗装面下に敷設した配管により、雪氷から発生した冷水と配管内循環液との熱交換を行い、結果として雪氷塊より冷熱を得て、冷熱需要先へ供給するものである。そして、浸透性舗装面が、雪氷内に含まれる不純物に対してのフィルターの役目を果たすと同時に、配管を保護する機能をもつ。雪氷から冷熱を効率良く得て、冷房や冷蔵などの冷熱源として利用するようになっている。
雪塊下部の冷水槽８は、図１に示すような二重構造とし、表面を浸透性舗装６で構成する。雪塊から発生した冷水のみを通過させ、雪氷塊中に含まれる土砂などの不純物を舗装面で除去しながら冷水を得る。浸透性舗装６と底部の防水層１７の間は、採石で充填し、その内部に、熱交換回路配管１８を敷設する。同配管内１８に冷媒を循環させ、熱交換により冷熱を得る。
【００１６】  図１に示すように、冷水槽８に直接雪２を入れ、冷房運用時には、雪塊下部が水に浸る水深を保持しながら、運用を行う。冷水槽中央下部に設けられた集水枡１０から採水枡１１へと送られた冷水は、水中ポンプ１９で熱交換器１２へと送られ、２次側の回路から熱を奪って、再び冷水槽８上流側の環水口９より、冷水槽８内へ放流される。環水口９から戻された水は、集水枡１０に至るまで雪塊の下や隙間を流れていくが、この際に雪２に熱を奪われ冷却される。
【００１７】  貯雪の方法は、雪山以外でも屋内型の貯雪倉庫でも良く、雪は、人工降雪、天然氷、人工氷でも構わない。
【実施例１】
【００１８】  屋外の除雪場所の下部に、貯水槽を設置し、夏季に雪から冷熱を回収し、建物などの冷房に利用する。
【実施例２】
【００１９】  敷地内に本発明装置を擁する貯雪倉庫を建て、駐車場などの除雪雪を保存し、夏季に雪から冷熱を回収し、冷房や冷蔵の熱源に利用する。
【産業上の利用可能性】
【００２０】  高出力の冷熱が安定的に確保できるため、冷熱需要の大きな中大規模施設での導入が期待される。
【図面の簡単な説明】
【００２１】
【図１】  本発明のシステム図である。
【符号の説明】
【００２２】  １  雪山
２  雪
３  機械室
４  冷熱需要先
５  地中送水管
６  浸透性舗装
７  断熱材
８  冷水槽
９  環水口
１０  集水枡
１１  採水枡
１２  熱交換器
１３  循環ポンプ
１４  水温調整回路
１５  フィルター
１６  オーバーフロー水
１７  防水層
１８  熱交換回路配管
１９  水中ポンプ
【図１】
0005231353.tif 000002
(57)【特許請求の範囲】
【請求項１】
合成樹脂の橇で，雪と接する部分に２本のスキー状のアルミニュームを貼り付け，橇の上部前後左右を透明の合成樹脂で覆い，フロント部と後部に物入れを設け，座席には複数の人が乗れる構造として，シ−トベルトと，換気口を設け，床にはスプリングクツションの上にシートを敷き，橇側面には、車輪支持具切り替え金具により上下に分かれた二つの車輪支持具室４個を設け、車輪支持具ごと車輪を上下させる装置を取り付けた車輪収納型手押し車兼手押し橇。
【発明の詳細な説明】
【技術分野】
【０００１】
本発明は，積雪のある歩道で子供をおんぶしたり，手を引いたりして外出する大変さを，車輪収納型手押し車兼手押し橇を使用して苦労を軽減し，子供と買い物などの荷物も同時に楽しみながら移動できることと，道路の雪が融けて舗装が出ている場所ではタイヤに切り替えが出来る車輪    収納型手押し車兼手押し橇に関するものである。
【背景技術】
【０００２】
従来，小さい子供は母親がおんぶしたり，手を引いたりして，雪降る寒空に歩くことは子供も，母親も大変な重労働であるが，これに手を貸す手段がなく皆困って不便をしているが，車輪収納型手押し車兼手押し橇は現在のところ他に見当たらない。
【発明の概要】
【発明が解決しようとする課題】
【０００３】
雪国の冬は寒さと，積雪でとても厳しい。
母親が小さな子供をおんぶしたり，手を引いたりして買い物や用事で遠くまで時間をかけて歩
くことは極めて重労働であり，特に手を引いて買い物に行った時は，子供が危険なところに行こうとする場合や歩くのを嫌って泣き出すことがあれば，荷物と子供と両方で母親は大変困るが，厳しい雪国の現実から母親と子供を守るためには他に方法がないのが実情である。また雪上を橇で移動していても，雪が融けて舗装がむき出しになっている場所では橇はすべらない。
【課題を解決するための手段】
【０００４】
課題を解決するために本発明は以下の構成とした。
合成樹脂の橇の上部前後左右を透明の合成樹脂で覆い，雪と接する部分に２本のスキー状のアルミニュームを貼り付け、子供と荷物を一緒に乗せ、雪と接する部分はアルミ２本をスキーのように貼り付ける構造とした。子供のお尻の下は寒さ防止と下からの振動で痛くないようにスプリングとシートを取り付け、また子供の安全のためにシートベルトを取り付け、座席の後部には空気を入れ替える換気口２箇所を設けた。
除雪が済んでいる場所では，気温が若干高くなれば，舗装がむき出しになっている場所が随所にある。その場合は橇の前後四箇所に設置してある車輪を、車輪支持具切り替え金具を引いて橇を持ち上げて車輪支持具と車輪を下部に下げる。再び車輪支持具切り替え金具を差込み固定させて、走行する構造とした。
また、舗装の出たところから雪道に移動した時は、この逆の操作を行う。すなわち車輪支持具切り替え金具を引き、車輪を支持具ごと上に引き上げ、車輪支持具の下部に当たるように車輪支持具切り替え金具を差し込んで車輪を固定させる。
【発明の効果】
【０００５】
・  毎日の買い物に出かける際，母親のきつい労働がなくなり，子供と買い物の荷物も一緒に
車輪収納型手押し車兼手押し橇に積んで歩けることと，降雪・吹雪になっても子供を温かく
安全につれて歩くことが出来る。
２．道路が雪道であっても，舗装道路であっても橇走行と車輪走行の両方を用いることにより、路面に合わせた走行が出来る。
３．外を歩いて一番困ることは，急に雨が降って来ることであるが，傘も橇の後部に積んで
おける構造としたので安心して外出できる。
４．子供を二人連れて買い物をすると子供の監視と荷物の運搬の両方は母親一人では荷が重過ぎるが，それらから開放される。シ−トベルトを取り付けたため更に安全である。
５．多少の着替えは，フロント部に積み込むことが出来る。
６．換気口を取り付けたので、空気の入れ替えが出来る。
７．子供のお尻の下にスプリングとシートを取り付けたので、寒さを防ぎ下からの振動を和らげた。
【図面の簡単な説明】
【０００６】
【図１】本発明の車輪収納型手押し車兼手押し橇の側面図
【図２】本発明の背面図
【図３】本発明の平面図
【図４】本発明の底面図
【図５】本発明の正面図
【図６】本発明の合成樹脂合わせ目説明図
【図７】本発明の車輪収納時の車輪支持具の側面説明図
【図８】本発明の橇から車輪に切り替え時車輪支持具の正面説明図
【図９】本発明の内部断面説明図
【発明を実施するための形態】
【０００７】
本発明の車輪収納型手押し車兼手押し橇は，合成樹脂の橇の周囲の下部を濃い色で，又上部を透明の合成樹脂で覆い，雪と接する部分に２本のスキー状のアルミニュームを貼り付ける構造とした。
フロント部分に荷物，後部には傘，買い物の荷物を積める構造とし，子供の座る席の床部分には
スプリングとシートを敷きつめ，安全のためにシートベルトも取り付けた。座席の後部には空気を入れ替える換気口２箇所を設けた。合成樹脂と合成樹脂の合わせ目は，外部から雨の入らない構造とした。一番重要なポイントとして，雪がなく舗装が出ている場所には橇を中止して車で移動できる構造とした。すなわち橇の前後四箇所に設置してある車輪を、支持具切り替え金具を引き抜いて支持具ごと下に下ろし、橇を持ち上げて車輪支持具の上部に当たるように再び支持具切り替え金具を差込み固定させて、車輪で走行する構造とした。
また、舗装の出たところから雪道に移動した時は、この逆の操作を行う。すなわち支持具切り替え金具を引き抜き、車輪を支持具ごと上に引き上げ、支持具の下部に当たるように支持具切り替え金具を差し込む。
【符号の説明】
【０００８】
１．本発明の車輪収納型手押し車兼手押し橇本体
２．合成樹脂透明部分
３．合成樹脂不透明部分
４．フロント物いれ部分
５．フロント物いれ部分蓋のとって
６．乗り降り部分のとって
７．クッション用スプリング
８．暖房用シ−ト
９．後部荷物いれ
１０．移動用グリップ
１１．換気口
１２．スキー状アルミニューム
１３．車輪
１４．蝶つがい
１５．合成樹脂連結部
１６．車輪収納支持具室
１７．車輪収納及び切り替え及び車支持具
１８．橇から車輪に切り替え時の車輪支持具切り替え金具
１９．シートベルト
【図１】
0005231617.tif 000002
【図２】
0005231617.tif 000003
【図３】
0005231617.tif 000004
【図４】
0005231617.tif 000005
【図５】
0005231617.tif 000006
【図６】
0005231617.tif 000007
【図７】
0005231617.tif 000008
【図８】
0005231617.tif 000009
【図９】
0005231617.tif 000010
(57)【特許請求の範囲】
【請求項１】
長方形の複数の布地が重ね合わされ、長方形に二等分する中心線に沿って、前記中心線の両端部のある長さにわたって切れ込みがあり、これらの切れ込みに挟まれた部分が前記中心線に沿って互いに縫い合わされてなるモップ用の雑巾と、
前記モップ用の雑巾を取り付けて使用するためのモップと、を備え、
当該モップは、
柄と、
前記柄の先に取り付けられ、前記モップ用の雑巾の前記中心線に沿った部分を挟持するための第１の挟持具と、
前記柄に取り付けられ、前記第１の挟持具に挟持された前記雑巾の前記複数の布地の一部をめくり上げた状態で挟持するための第２の挟持具と、を有し、
当該第２の挟持具は、弾性力により挟持する方向に付勢されており、かつ、指で操作することにより当該付勢力に抗して挟持を解放することを可能にするつまみ部を有し、
前記モップの前記第１の挟持具の横幅が、前記モップ用の雑巾の前記切れ込みに挟まれた部分の長さと略同等である、掃除具セット。
【請求項２】
前記モップ用の雑巾の前記布地はタオル地である請求項１に記載の掃除具セット。
【発明の詳細な説明】
【技術分野】
【０００１】
この発明は、拭き掃除に用いる清掃用モップの雑巾に関する。
【背景技術】
【０００２】
従来の拭き掃除に用いるモップは雑巾が汚れる度に取り外し洗った後、再び止着するもので、利便性に欠け機能性、能率性も低い。
【先行技術文献】
【特許文献】
【０００３】
【特許文献１】実開平６−４１６５７号
【特許文献２】実開平７−２４２５６号
【発明の概要】
【発明が解決しようとする課題】
【０００４】
汚れる度に雑巾を柄から取り外し洗った後、再び止着しなければならないので、非常に不便であった。
【課題を解決するための手段】
【０００５】
以上の課題を解決するために本発明は、矩形の複数枚の布の一縁を接続して、他縁を自由端して形成された雑巾であって、前記接続縁はその長さ方向の両端部近傍に非接続部が形成されていることを特徴とする雑巾である。
【０００６】
本発明は、複数枚の矩形の布を積層してその中央部の一部を止着することを特徴とする雑巾の製造法である。
【０００７】
本発明は、接続部を挟持する挟持具Ａが設けられ、前記挟持具Ａには柄が備えられている雑巾である。
【０００８】
柄１は上面の挟持具Ｂの取り付け部を平面に形成すれば  挟持具Ｂを着脱可能に取り付けやすくなる。
【０００９】
挟持具Ｂの柄１への取り付け方法はねじ止めに着脱する事も出来る。勿論固定してもよい。
【００１０】
本発明は、前記挟持具Ａの先端部外側にスポンジ又は弾性体を設けたことを特徴とする雑巾である。
【発明の効果】
【００１１】
綿製タオルなど吸水性の良い布の中央部の両端に切り込みを３〜５センチ入れたものを複数枚重ね、中央部の一部を固定した雑巾を作る（固定した所は取り付け金具と同じ長さ）柄の先の挟持具の中に取り付け金具に雑巾中央部を挟み入れる複数枚の布を積層したので、柄に付いている挟持具Ｂで、めくり上げると（５〜６回）清潔な面が出て掃除が継続出来、汚れた雑巾の水洗いは掃除後の１回のみですむ。
【図面の簡単な説明】
【００１２】
【図１】本発明の雑巾の平面図(真上から見た図)
【図２】モップの正面図
【図３】モップの側面図
【図４】雑巾を挟持具Ｂで挟み留めた斜視図
【発明を実施するための形態】
【００１３】
以下この発明の具体的実施例について図面を参照にして説明する。
本発明は複数枚の布を重ねて中央の止着部を挟持具Ａで挟み、布をめくり上げて挟持具Ｂで挟み止め、順次新しい雑巾部分を使用できるものである。又、逆に、挟持具Ｂで上方に止めてあった布を順次下して使用しても良い。
【００１４】
図１はこの発明の雑巾Ｎの平面図（上から見た図）で少し厚めのフェイスタオルを縦長に置き３等分に切り、切り口は、ほつれ止めをしておき、中央部の右、左端を３ｃｍ〜５ｃｍ切り込みを入れる、その切り口も解れ止めをしたら同じ長さの物が３枚出来３枚をかさねて中央部を切り込みの所まで３枚一緒に縫い雑巾Ｎを作る。雑巾の作り方はこの方法に限定されるものではなく、図示しないが別々の雑巾を中央部で繋ぎ合せて形成してもよい。
【００１５】
図２は雑巾Ｎを付けるモップの正面図であり、柄１に挟持具Ｂを取付けている。雑巾Ｎを挟む挟み口３は二股状のクリップを図示しているが、二股状でなく面で挟む物でも良い。挟持具Ｂの柄１への取付方法はねじ止めにして着脱可能にすることもできる。勿論、固着してもよい。又、図示していないが、柄１の上面を平面に形成すれば挟持具Ｂを着脱可能に取付け易くなる。
【００１６】
図２、図３に示す取り付け金具４は、挟持具Ａの内側面に設けた留め具６に取り付け金具４の両端が係止するように挿入する。そうすると雑巾Ｎが少し中に食い込んで入ることになる。取り付け金具４は、図３に示すように挟持具Ａの中に入り込むことができるように、できるだけ取り付け金具４は幅が細い方が良い。スポンジ７を挟持具Ａの先端外側に設けている。
【００１７】
図４は６枚の布を使用する雑巾Ｎであって、使用済みの１枚目と２枚目の布を挟持具Ｂに挟み込み３枚目の布を使用している状態の図である。１枚の布から拭いていき１枚の布が汚れると１枚目の布を挟持具Ｂに挟み、次２枚目の布で拭いていき２枚目の布が汚れると２枚目の布も挟持具Ｂに挟み、３枚目の布を使用する。次々と布をめくり挟持具Ｂに挟み込むことで、綺麗な面で６回拭ける。スポンジ７が挟持具Ａの外側に付けているので雑巾Ｎは１枚からでも滑らず拭ける。
【符号の説明】
【００１８】
Ｎ  雑巾
Ａ  挟持具Ａ
Ｂ  挟持具Ｂ
１    柄
３    挟み口
４    取り付け金具
５    板
６    留め金具
７    スポンジ
【図１】
0005231616.tif 000002
【図２】
0005231616.tif 000003
【図３】
0005231616.tif 000004
【図４】
0005231616.tif 000005
(57)【特許請求の範囲】
【請求項１】
本体は、円筒形状の胴体部とお椀形状の先頭部とで形成され、先頭部の中央に円形の穴を設けており、その穴の開口部の周囲にシリコン等の柔軟素材を装着してあり、胴体部を包む円筒形状のカバーには、肩紐が分岐して３箇所に装着してある哺乳瓶ホルダー。
【発明の詳細な説明】
【技術分野】
【０００１】  本発明は、乳幼児を両腕に抱いたままでも、哺乳瓶での授乳が可能な哺乳瓶ホルダーに関するものである。
【背景技術】
【０００２】  乳幼児が泣いたとき等、両腕に抱いたまま哺乳瓶で授乳することは困難であった。乳幼児自らがミルク等の飲料の摂取が可能になるホルダーとしては、特許文献１、特許文献２及び文献３が知られている。
【先行技術文献】
【特許文献】
【０００３】
【特許文献１】  特開２００７−０４５４３７号公報
【特許文献２】  特開２００５−３１２８６１号公報
【特許文献３】  実用新案登録第３０６９０９３号公報
【発明の概要】
【発明が解決しようとする課題】
【０００４】  乳幼児を両腕に抱いたままでの哺乳瓶での授乳は困難である。
本発明は、以上の問題点を解決するものである。
【課題を解決するための手段】
【０００５】  本体は、円筒形状の胴体部とお椀形状の先頭部とで形成され、先頭部の中央に円形の穴を設けており、その穴の開口部の周囲にシリコン等の柔軟素材を装着している。胴体部を包む円筒形状のカバーには、肩紐が分岐して３箇所に装着してある。
以上の構成よりなる哺乳瓶ホルダー。
【発明の効果】
【０００６】  乳幼児を両腕に抱いたままでも、哺乳瓶での授乳が可能となる。
【図面の簡単な説明】
【０００７】
【図１】本発明の斜視図
【図２】本発明の斜視図
【図３】本発明の使用状態を示す斜視図
【発明を実施するための形態】
【０００８】  以下、本発明の実施の形態を説明する。
（イ）本体（１）は、無色透明な合成樹脂（プラスチック等）による円筒形状の胴体部（２）とお碗形状の先頭部（３）とで形成される。
（ロ）先頭部（３）のお碗形状の中央には円形の穴（４）を設けており、その穴の開口部の周囲（５）には、哺乳瓶のキャップ部より若干狭小な内径のシリコン等の柔軟な素材を装着してある。
（ハ）胴体部（２）を包む円筒形状の布素材のカバー（６）には、長さ調節具（７）を備えた帯状の肩紐（８）が、分岐して３箇所に装着してある。
（ニ）カバー（６）の後部（１０）は巾着形状になっており、紐（９）により開閉を行う。
本発明は、以上のような構造である。
本発明を使用するときには、本体（１）にカバー（６）を装着した上で、授乳者は肩紐（８）を肩から脇の下へと回し、おおよその位置で先頭部（３）を決めておく。次にカバー（６）の後部（１０）の紐（９）を開き、本体（１）の円筒形状の容器の中に哺乳瓶（１１）を頭部から挿入する。挿入された哺乳瓶（１１）はキャップの部分の直径が開口部の周囲（５）に装着された柔軟素材の内径より若干大きいため停止する。哺乳瓶（１１）の底を軽く押してやると、キャップの部分が通過して、哺乳瓶（１１）は丁度首が締まった状態で安定する。あとはカバー（６）の後部（１０）の紐（９）を閉じ、乳頭部を乳幼児の口の位置へと微調整を行い授乳する。
【符号の説明】
【０００９】１    本体
２    胴体部
３    先頭部
４    穴
５    開口部の周囲
６    カバー
７    長さ調節具
８    肩紐
９    紐
１０  後部
１１  哺乳瓶
【図１】
0005221746.tif 000002
【図２】
0005221746.tif 000003
【図３】
0005221746.tif 000004